【手続補正書】
【提出日】平成18年9月14日(2006.9.14)
【手続補正１】
【補正対象書類名】明細書
【補正対象項目名】特許請求の範囲
【補正方法】変更
【補正の内容】
【特許請求の範囲】
【請求項１】
非共役ポリエンである下記一般式［Ｉ］または［II］で表わされる少なくとも一種の末端ビニル基含有ノルボルネン化合物から導かれる構成単位を有し、かつ分子中に下記一般式［III]で表わされる加水分解性シリル基を含有するシリル基含有エチレン・α-オレフ
ィン・非共役ポリエンランダム共重合体ゴム（Ａ）と、
分子内に１個のシラノール基を有する化合物および／または水分と反応して分子内に１個のシラノール基を有する化合物を生成し得る化合物（Ｂ）を含有することを特徴とする硬化性弾性組成物；
【化１】
2002037942.tif 000001
［式中、ｎは０ないし１０の整数であり、Ｒ1は水素原子または炭素原子数１〜１０のア
ルキル基であり、Ｒ2は水素原子または炭素原子数１〜５のアルキル基である］、
【化２】
2002037942.tif 000002
［式中、Ｒ3は水素原子または炭素原子数１〜１０のアルキル基である］、
【化３】
2002037942.tif 000003
［式中、Ｒは、炭素原子数１〜１２の１価炭化水素基であり、Ｘはハイドライド基、ハロゲン基、アルコキシル基、アシルオキシ基、ケトキシメート基、アミド基、酸アミド基、アミノオキシ基、メルカプト基、アルケニルオキシ基、チオアルコキシ基およびアミノ基から選ばれる加水分解性基であり、ａは０、１または２の整数である］。
【請求項２】
水分と反応して分子内に１個のシラノール基を有する化合物を生成し得る化合物が、（ＣＨ3)3Ｓi−ＮＨ−Ｓi（ＣＨ3)3であることを特徴とする請求項１に記載の硬化性弾性組成物。
【請求項３】
前記シリル基含有エチレン・α-オレフィン・非共役ポリエンランダム共重合体ゴム（
Ａ）と、分子内に１個のシラノール基を有する化合物および／または水分と反応して分子内に１個のシラノール基を有する化合物を生成し得る化合物（Ｂ）とを予め反応させて、シリル基含有エチレン・α-オレフィン・非共役ポリエンランダム共重合体ゴム（Ａ）の
加水分解性シリル基の含有量を減少させたシリル基含有エチレン・α-オレフィン・非共
役ポリエンランダム共重合体ゴム（Ａ）を含有することを特徴とする請求項１に記載の硬化性弾性組成物。
【請求項４】
水分と反応して分子内に１個のシラノール基を有する化合物を生成し得る化合物が、（ＣＨ3)3Ｓi−ＮＨ−Ｓi（ＣＨ3)3であることを特徴とする請求項３に記載の硬化性弾性組成物。
【請求項５】
請求項１〜４のいずれか１項に記載の硬化性弾性組成物であって、電気・電子部品、輸送機、土木・建築、医療またはレジャーの用途に用いられることを特徴とする硬化性弾性組成物。
【請求項６】
前記電気・電子部品の用途が、重電部品、弱電部品、電気・電子機器の回路や基板のシーリング材、ポッティング材、コーティング材もしくは接着剤；電線被覆の補修材；電線ジョイント部品の絶縁シール材；ＯＡ機器用ロール；振動吸収剤；またはゲルもしくはコンデンサの封入材であることを特徴とする請求項５に記載の硬化性弾性組成物。
【請求項７】
前記シーリング材が、冷蔵庫、冷凍庫、洗濯機、ガスメーター、電子レンジ、スチームアイロンまたは漏電ブレーカー用のシール材として用いられることを特徴とする請求項６に記載の硬化性弾性組成物。
【請求項８】
前記ポッティング材が、トランス高圧回路、プリント基板、可変抵抗部付き高電圧用トランス、電気絶縁部品、半導電部品、導電部品、太陽電池またはテレビ用フライバックトランスをポッティングするために用いられることを特徴とする請求項６に記載の硬化性弾性組成物。
【請求項９】
前記コーティング材が、高電圧用厚膜抵抗器もしくはハイブリッドＩＣの回路素子；ＨＩＣ；電気絶縁部品；半導電部品；導電部品；モジュール；印刷回路；セラミック基板；ダイオード、トランジスタもしくはボンディングワイヤーのバッファー材；半導電体素子
；または光通信用オプティカルファイバーをコーティングするために用いられることを特徴とする請求項６に記載の硬化性弾性組成物。
【請求項１０】
前記接着剤が、ブラウン管ウェッジ、ネック、電気絶縁部品、半導電部品または導電部品を接着するために用いられることを特徴とする請求項６に記載の硬化性弾性組成物。
【請求項１１】
前記輸送機の用途が、自動車、船舶、航空機または鉄道車輛の用途であることを特徴とする請求項５に記載の硬化性弾性組成物。
【請求項１２】
前記自動車の用途が、自動車エンジンのガスケット、電装部品もしくはオイルフィルター用のシーリング材；イグナイタＨＩＣもしくは自動車用ハイブリッドＩＣ用のポッティング材；自動車ボディ、自動車用窓ガラスもしくはエンジンコントロール基板用のコーティング材；またはオイルパンのガスケット、タイミングベルトカバーのガスケット、モール、ヘッドランプレンズ、サンルーフシールもしくはミラー用の接着剤であることを特徴とする請求項１１に記載の硬化性弾性組成物。
【請求項１３】
前記船舶の用途が、配線接続分岐箱、電気系統部品もしくは電線用のシーリング材；または電線もしくはガラス用の接着剤であることを特徴とする請求項１１に記載の硬化性弾性組成物。
【請求項１４】
前記土木・建築の用途が、商業用ビルのガラススクリーン工法の付き合わせ目地、サッシとの間のガラス周り目地、トイレ、洗面所もしくはショーケースにおける内装目地、バスタブ周り目地、プレハブ住宅用の外壁伸縮目地、サイジングボード用目地に使用される建材用シーラント；複層ガラス用シーリング材；道路の補修に用いられる土木用シーラント；金属、ガラス、石材、スレート、コンクリートもしくは瓦用の塗料・接着剤；または粘着シート、防水シートもしくは防振シートに用いられることを特徴とする請求項５に記載の硬化性弾性組成物。
【請求項１５】
前記医療の用途が、医薬用ゴム栓、シリンジガスケットもしくは減圧血管用ゴム栓用のシール材料であることを特徴とする請求項５に記載の硬化性弾性組成物。
【請求項１６】
前記レジャーの用途が、スイミングキャップ、ダイビングマスクもしくは耳栓用のスイミング部材；またはスポーツシューズもしくは野球グローブ用のゲル緩衝部材であることを特徴とする請求項５に記載の硬化性弾性組成物。
【請求項１７】
請求項１〜４のいずれか１項に記載の硬化性弾性組成物からなることを特徴とするシーリング材。
【請求項１８】
請求項１〜４のいずれか１項に記載の硬化性弾性組成物からなることを特徴とするポッティング材。
【請求項１９】
請求項１〜４のいずれか１項に記載の硬化性弾性組成物からなることを特徴とするコーティング材。
【請求項２０】
請求項１〜４のいずれか１項に記載の硬化性弾性組成物からなることを特徴とする接着剤。
【手続補正２】
【補正対象書類名】明細書
【補正対象項目名】００２０
【補正方法】変更
【補正の内容】
【００２０】
前記医療の用途としては、たとえば医薬用ゴム栓、シリンジガスケットもしくは減圧血管用ゴム栓用のシール材料が挙げられる。前記レジャーの用途としては、たとえばスイミングキャップ、ダイビングマスクもしくは耳栓用のスイミング部材；またはスポーツシューズもしくは野球グローブ用のゲル緩衝部材が挙げられる。
【手続補正３】
【補正対象書類名】明細書
【補正対象項目名】００８９
【補正方法】変更
【補正の内容】
【００８９】
硬化触媒としては、テトラブチルチタネート、テトラプロピルチタネートなどのチタン酸エステル類；ジブチル錫ジラウレート、ジブチル錫マレエート、ジブチル錫ジアセテート、オクチル酸錫、ナフテン酸錫などの有機錫化合物；オクチル酸鉛；ブチルアミン、オクチルアミン、ジブチルアミン、モノエタノールアミン、ジエタノールアミン、トリエタノールアミン、ジエチレントリアミン、トリエチレンテトラミン、オレイルアミン、オクチルアミン、シクロヘキシルアミン、ベンジルアミン、ジエチルアミノプロピルアミン、キシリレンジアミン、トリエチレンジアミン、グアニジン、ジフェニルグアニジン、2,4,6-トリス（ジメチルアミノメチル）フェノール、モルホリン、N-メチルモルホリン、1,3-ジアザビシクロ(5.4.6）ウンデセン-7（ＤＢＵ）などのアミン系化合物あるいはそれらのカルボン酸などの塩；過剰のポリアミンと多塩基酸より得られる低分子量ポリアミド樹脂；過剰のポリアミンとエポキシ化合物との反応生成物；アミノ基を有するシランカップリング剤、たとえばγ-アミノプロピルトリメトキシシラン、N-(β-アミノエチル）アミノ
プロピルメチルジメトキシシランなどの公知のシラノール縮合触媒１種または２種以上を必要に応じて用いればよい。なお、作業性の改善、粘度の低下などの目的で溶剤を配合してもよく、たとえばトルエン、キシレンなどの芳香族炭化水素系溶剤、酢酸エチル、酢酸ブチル、酢酸アミル、酢酸セロソルブなどのエステル系溶剤、メチルエチルケトン、メチルイソブチルケトン、ジイソブチルケトンなどのケトン系溶剤が挙げられる。それらの溶剤は、シリル基含有エチレン・α-オレフィン・非共役ポリエンランダム共重合体ゴム（
Ａ）製造時に用いてもよい。
【手続補正４】
【補正対象書類名】明細書
【補正対象項目名】００９１
【補正方法】変更
【補正の内容】
【００９１】
このようなイオウ系老化防止剤の具体例としては、メルカプタン類である2-メルカプトベンゾチアゾール；メルカプタンの塩類である2-メルカプトベンゾチアゾールの亜鉛塩；スルフィド類である4,4'-チオ-ビス（3-メチル-6-t-ブチルフェノール）、4,4'-チオ-ビ
ス（2-メチル-6-t- ブチルフェノール）、2,2'-チオ-ビス（4-メチル-6-t-ブチルフェノ
ール）、ビス（3-メチル-4-ヒドロキシ-5-t-ブチルベンジル）スルフィド、テレフタロイルジ（2,6-ジ-メチル-4-t-ブチル-3-ヒドロキシベンジルスルフィド、フェノチアジン、2,2'-チオ-ビス（4-オクチルフェノール）ニッケル、ジラウリルチオジプロピオネイト、
ジステアリルチオジプロピオネイト、ジミリスチルチオジプロピオネイト、ジトリデシルチオジプロピオネイト、ジステアリルβ,β'-チオジブチレイト、ラウリル−ステアリル
チオジプロピオネイト、2,2-チオ［ジエチル-ビス-3（3,5-ジ-t-ブチル-4-ヒドロキシフ
ェノール）プロピオネイト〕;ポリスルフィド類である2-ベンゾチアゾールジスルフィド
；ジチオカルボン酸塩類であるチンクジブチルジチオカルバメイト、チンクジエチルジチオカルバメイト、ニッケルジブチルジチオカルバメイト、チンクジ-n-ブチルジチオカル
バメイト、ジブチルアンモニウムジブチルジチオカルバメイト、チンクエチル−フェニル−ジチオカルバメイト、チンクジメチルカルバメイト；チオウレア類である1-ブチル-3-
オキシ-ジエチレン-2-チオウレア、ジ-ｏ-トリル−チオウレア、エチレンチオウレア；チオホスフェイト類であるトリラウリルトリチオホスフェイトなどを挙げることができる。
【手続補正５】
【補正対象書類名】明細書
【補正対象項目名】００９６
【補正方法】変更
【補正の内容】
【００９６】
本発明に係る硬化性弾性組成物を粘着剤として用いる場合には、必要に応じて前記シーリング材で用いた硬化触媒、老化防止剤、可塑剤、補強剤、物性調整剤、溶剤などが使用され得る。また、目的によっては、ロジンエステル樹脂、フェノール樹脂、キシレン樹脂、キシレンフェノール樹脂、クマロン樹脂、芳香族系、脂肪族／芳香族共重合系および脂環族系などの石油樹脂、テルペン樹脂、テルペンフェノール樹脂、低分子量ポリスチレン樹脂など通常の粘着剤組成物に添加される公知の添加剤を配合してもよい。前記粘着剤組成物は、テープ、シート、ラベル、箔などに広く適用し得る。すなわち、たとえば合成樹脂製または変性天然物製のフィルム、紙、あらゆる種類の布、金属箔、金属化プラスチック箔、アスベストまたはガラス機維布などの基質材料に無溶剤液状型、溶剤型、エマルジョン型またはホットメルト型などの形で前記粘着剤組成物を塗布し、湿気または水分に暴露し、常温硬化または加熱硬化させればよい。